(57)【要約】【課題】必要量の細胞懸濁液を簡易かつ自動的に得る。【解決手段】生体組織を分解して生体由来細胞を含む細胞懸濁液を取得する分解処理部２と、該分解処理部２において取得された細胞懸濁液を遠心容器内に収容して遠心処理することにより、生体由来細胞と上清とに分離する細胞分離部４と、残量が所定量となるまで遠心容器内から上清を除去する上清除去手段５と、該上清除去手段５により上清が除去された生体由来細胞に供給する希釈液量を設定する希釈液量設定部６と、該希釈液量設定部６により設定された量の希釈液を遠心容器内に供給して細胞懸濁液を生成する懸濁液生成手段７とを備える生体組織処理装置１を提供する。【選択図】図１
2010127620.tif 000002
【特許請求の範囲】
【請求項１】
生体組織を分解して生体由来細胞を含む細胞懸濁液を取得する分解処理部と、
該分解処理部において取得された細胞懸濁液を遠心容器内に収容して遠心処理することにより、生体由来細胞と上清とに分離する細胞分離部と、
残量が所定量となるまで前記遠心容器内から上清を除去する上清除去手段と、
該上清除去手段により上清が除去された生体由来細胞に供給する希釈液量を設定する希釈液量設定部と、
該希釈液量設定部により設定された量の希釈液を前記遠心容器内に供給して細胞懸濁液を生成する懸濁液生成手段とを備える生体組織処理装置。
【請求項２】
前記希釈液量設定部が、前記懸濁液生成手段により生成される細胞懸濁液の液量を入力する液量入力部と、該液量入力部により入力された細胞懸濁液の液量と前記上清除去手段により上清を除去された残量とに基づいて供給する希釈液の液量を算出する液量算出部とを備える請求項１に記載の生体組織処理装置。
【請求項３】
前記希釈液量設定部が、懸濁液生成手段により生成される細胞懸濁液を適用する症例を指定する症例指定部と、該症例指定部により指定される症例と細胞懸濁液の液量とを対応づけて記憶する液量記憶部と、前記症例指定部により指定された症例に対応づけて前記液量記憶部に記憶されている細胞懸濁液の液量と前記上清除去手段により上清を除去された残量とに基づいて供給する希釈液の液量を算出する液量算出部とを備える請求項１に記載の生体組織処理装置。
【発明の詳細な説明】
【技術分野】
【０００１】
本発明は、生体組織処理装置に関するものである。
【背景技術】
【０００２】
従来、ヒトの脂肪組織を採取して、消化酵素および生理食塩水とともに攪拌することにより脂肪組織内に含まれる脂肪由来細胞群を分離する技術が知られている（例えば、特許文献１参照。）。
この技術においては、分離された脂肪由来細胞群を含む細胞懸濁液は、遠心分離機によって遠心処理されることにより、遠心分離容器内において脂肪由来細胞群のペレットと上清とに分離される。この状態で、遠心分離容器内にシリンジ等を挿入してペレットを吸引することにより、濃縮された脂肪由来細胞群を得ることができる。
【０００３】
【特許文献１】国際公開第０３／０５３３４６号パンフレット
【発明の開示】
【発明が解決しようとする課題】
【０００４】
しかしながら、得られた脂肪由来細胞群を患部に適用する場合には、生理食塩水等の希釈液によって懸濁した細胞懸濁液を得る必要がある。従来、細胞懸濁液を得るには、作業者が手動でペレットに生理食塩水を供給して攪拌する必要があった。また、必要とされる細胞懸濁液の液量は、該細胞懸濁液を適用する症例の種類に応じて相違しているので、作業者が、適用症例毎に適量の細胞懸濁液を得るための生理食塩水を計量して供給しなければならないという不都合があった。
【０００５】
本発明は上述した事情に鑑みてなされたものであって、必要量の細胞懸濁液を簡易かつ自動的に得ることができる生体組織処理装置を提供することを目的としている。
【課題を解決するための手段】
【０００６】
上記目的を達成するために、本発明は以下の手段を提供する。
本発明は、生体組織を分解して生体由来細胞を含む細胞懸濁液を取得する分解処理部と、該分解処理部において取得された細胞懸濁液を遠心容器内に収容して遠心処理することにより、生体由来細胞と上清とに分離する細胞分離部と、残量が所定量となるまで前記遠心容器内から上清を除去する上清除去手段と、該上清除去手段により上清が除去された生体由来細胞に供給する希釈液量を設定する希釈液量設定部と、該希釈液量設定部により設定された量の希釈液を前記遠心容器内に供給して細胞懸濁液を生成する懸濁液生成手段とを備える生体組織処理装置を提供する。
【０００７】
本発明によれば、分解処理部において取得された細胞懸濁液が、遠心容器内に収容されて分離処理部において遠心処理されることにより生体由来細胞と上清とに分離され、上清除去手段の作動により遠心容器内の残量が所定量となるまで上清が除去される。そして、希釈液量設定部により希釈液量を設定しておくことにより、設定された量の希釈液が懸濁液生成手段により遠心容器内に供給されるので、遠心容器内の残量と供給された量の希釈液とを合計した液量の細胞懸濁液を生成することができる。したがって、作業者は、希釈液の液量を設定するだけで、必要量の細胞懸濁液を簡易かつ自動的に得ることができる。
【０００８】
上記発明においては、前記希釈液量設定部が、前記懸濁液生成手段により生成される細胞懸濁液の液量を入力する液量入力部と、該液量入力部により入力された細胞懸濁液の液量と前記上清除去手段により上清を除去された残量とに基づいて供給する希釈液の液量を算出する液量算出部とを備えていてもよい。
このようにすることで、作業者は、最終的に得たい細胞懸濁液の液量を液量入力部により入力するだけで、遠心容器内に供給される希釈液の液量が液量算出部において算出されて、所望の液量の細胞懸濁液を簡易かつ自動的に得ることができる。
【０００９】
また、上記発明においては、前記希釈液量設定部が、懸濁液生成手段により生成される細胞懸濁液を適用する症例を指定する症例指定部と、該症例指定部により指定される症例と細胞懸濁液の液量とを対応づけて記憶する液量記憶部と、前記症例指定部により指定された症例に対応づけて前記液量記憶部に記憶されている細胞懸濁液の液量と前記上清除去手段により上清を除去された残量とに基づいて供給する希釈液の液量を算出する液量算出部とを備えていてもよい。
【００１０】
このようにすることで、作業者は、細胞懸濁液を適用する症例を指定するだけで、適用症例毎に必要な細胞懸濁液の液量を計算する必要がなく、液量記憶部内の細胞懸濁液の液量と遠心容器内の残量とに基づいて、遠心容器内に供給される希釈液の液量が液量算出部において算出されて、所望の液量の細胞懸濁液をより簡易かつ自動的に得ることができる。
【発明の効果】
【００１１】
本発明によれば、必要量の細胞懸濁液を簡易かつ自動的に得ることができるという効果を奏する。
【発明を実施するための最良の形態】
【００１２】
本発明の一実施形態に係る生体組織処理装置１について、図１〜図４を参照して以下に説明する。
本実施形態に係る生体組織処理装置１は、図１に示されるように、生体組織、例えば、脂肪組織を消化酵素液とともに攪拌することで分解し、単離された生体由来細胞を含む細胞懸濁液を取得する分解処理槽（分解処理部）２と、該分解処理槽２において取得された細胞懸濁液を遠心容器３（図２参照。）内に収容して遠心処理することにより、生体由来細胞Ａと上清Ｂとに分離する細胞分離部（遠心分離機）４と、遠心容器３内の上清Ｂを残量が所定量となるまで遠心容器３内から吸引する上清除去手段５と、遠心容器３内に供給する希釈液量を設定する希釈液量設定部６と、設定された液量の希釈液を遠心容器３内に供給して細胞懸濁液を生成する懸濁液生成手段７と、生成された細胞懸濁液を回収する懸濁液回収手段８と、これらを制御する制御部９とを備えている。
【００１３】
分解処理槽２と細胞分離部４とは配管系１０で接続され、分解処理槽２から出力された細胞懸濁液は配管系１０に設けられた送給ポンプ１１が制御部９により駆動されることにより、細胞分離部４内の遠心容器３に送られるようになっている。
上清除去手段５は、図１および図２に示されるように、遠心容器３内の所定の深さ位置に給排口１２ａを配置した給排管１２と、該給排管１２を介して上清Ｂを吸引し遠心容器３外の廃液容器１３に排出する吸引ポンプ１４とを備えている。
【００１４】
希釈液量設定部６は、図３に示されるような適用症例のリストを表示するモニタ１５と、図４に示されるように適用症例と細胞懸濁液量とを対応づけて記憶する記憶部１６と、モニタ１５上に表示された適用症例を選択するためのマウスやキーボードのような入力部１７とを備えている。
制御部９は、入力部１７からの入力により適用症例が選択された場合に、入力された適用症例に対応づけて記憶部１６に記憶されている細胞懸濁液量に基づいて供給すべき希釈液量を算出するようになっている。
【００１５】
懸濁液生成手段７は、希釈液を貯留する希釈液容器１８と、該希釈液容器１８内に貯留されている希釈液を給排管１２を介して遠心容器３内に供給する供給ポンプ１９とを備えている。制御部９は、希釈液量設定部６により設定された適用症例に対応する液量だけ希釈液が遠心容器３内に供給されるように供給ポンプ１９の駆動を制御するようになっている。
【００１６】
懸濁液回収手段８は、図２に示されるように、遠心容器３の底部に吸引口２０ａが配置され遠心容器３内部の細胞懸濁液を吸引する吸引管２０と、該吸引管２０を介して細胞懸濁液を吸引し遠心容器３外の回収容器２１に排出する吸引ポンプ２２とを備えている。
【００１７】
このように構成された本実施形態に係る生体組織処理装置１を用いて細胞懸濁液を取得するには、まず、図３に示されるようにモニタ１５に表示された適用症例を作業者が入力部１７から選択することにより、処理が開始され、分解処理槽２に生体組織と消化酵素液とを供給して攪拌することにより、生体組織を分解して、生体由来細胞を単離させた細胞懸濁液を生成する。生成された細胞懸濁液は制御部９が配管系１０の送給ポンプ１１を駆動することにより、配管系１０を介して細胞分離部４に送られ、細胞分離部４に備えられた遠心容器３内に収容される。
【００１８】
細胞分離部４においては、制御部９からの指令に応じて遠心容器３が遠心運動させられることにより、遠心容器３内の細胞懸濁液が、先端側から生体由来細胞Ａと上清Ｂとに遠心分離される。
この状態で、制御部９は上清除去手段５を作動させて給排管１２を介して遠心容器３内の上清Ｂを吸引し、遠心容器３外の廃液容器１３に排出する。給排管１２の給排口１２ａは遠心容器３内の所定の深さ位置に配置されているので、吸引されなくなるまで吸引し続けることにより、生体由来細胞Ａと若干の上清Ｂとが予め定められた残量だけ遠心容器３内に残るようになる。
【００１９】
次に、制御部９は懸濁液生成手段７を作動させて給排管１２を介して遠心容器３内に希釈液を供給する。
この場合に、作業者が入力部１７から適用症例を選択しているので、該適用症例に対応づけて記憶部１６に記憶されている細胞懸濁液量が抽出される。一方、上述したように上清除去手段５の作動後に遠心容器３内に残る生体由来細胞Ａおよび上清Ｂの残量は予め設定されているので、制御部９は記憶部１６から抽出した細胞懸濁液量から遠心容器３内に残っている残量を減算することにより、供給すべき希釈液の液量を算出する。
【００２０】
そして、制御部９は、供給ポンプ１９を作動させて希釈液容器１８に貯留されている希釈液を遠心容器３内に供給する。このとき、上記により算出された液量分だけの希釈液が遠心容器３内に供給されるように供給ポンプ１９を制御する。
【００２１】
供給ポンプ１９により供給された希釈液は、給排管１２の給排口１２ａを介して遠心容器３内に供給されるので、その流れの勢いにより、遠心容器３内の生体由来細胞Ａのペレットおよび上清Ｂが攪拌されて均一な細胞懸濁液が生成される。制御部９の作動により、算出された液量の希釈液が遠心容器３内に供給されるので、生成される細胞懸濁液の液量は、適用症例に対応づけて記憶されている値に精度よく一致するようになる。
【００２２】
このようにして細胞懸濁液が生成された後には、制御部９が懸濁液回収手段８を作動させて、吸引ポンプ２２により遠心容器３内の細胞懸濁液を吸引管２０を介して吸引し、回収容器２１へと送る。これにより、適用症例に対応して予め記憶されている液量の細胞懸濁液が、簡易かつ自動的に回収容器２１内に得られることになる。
【００２３】
すなわち、本実施形態に係る生体組織処理装置１によれば、作業者が適用症例を選択するだけで、簡易かつ自動的に適量の細胞懸濁液を回収容器２１に回収することができる。したがって、作業者が、所望の液量の細胞懸濁液が生成されるように希釈液を計量しなくても済む。
【００２４】
なお、本実施形態においては、作業者は、モニタ１５に表示された適用症例を選択することとしたが、これに代えて、作業者は所望する細胞懸濁液の液量を選択、あるいは、入力することにしてもよい。また、適用症例に応じて適正な細胞懸濁液を得るための希釈液量が予め知られている場合には、作業者は、希釈液量を選択あるいは入力することにしてもよい。
【図面の簡単な説明】
【００２５】
【図１】本発明の一実施形態に係る生体組織処理装置を示すブロック図である。
【図２】図１の生体組織処理装置の細胞分離部に備えられる遠心容器の一例を示す縦断面図である。
【図３】適用症例を選択させるモニタの表示例を示す図である。
【図４】適用症例と対応づけて必要な細胞懸濁液量を記憶する記憶部内の記憶内容を示すテーブルである。
【符号の説明】
【００２６】
Ａ  生体由来細胞
Ｂ  上清
１  生体組織処理装置
２  分解処理槽（分解処理部）
３  遠心容器
４  細胞分離部
５  上清除去手段
６  希釈液量設定部
７  懸濁液生成手段
９  制御部（液量算出部）
１５  モニタ（症例指定部）
１６  記憶部（液量記憶部）
１７  入力部（液量入力部、症例指定部）
【図１】
2010127620.tif 000003
【図２】
2010127620.tif 000004
【図３】
2010127620.tif 000005
【図４】
2010127620.tif 000006